(57)【要約】【課題】画像データの出力の度に、マーク設定をする手間を省略すること、また、複数ユーザ間でマーク設定を共有すること、さらに、マーク出力を強制して著作権表示などのセキュリティを確保することを可能とする画像形成環境を提供すること。【解決手段】制御部１０８のＣＰＵが、デジタル複写機１００に入力される画像データを指定される画像メモリ１０７内のボックス領域に格納し、また、画像メモリ１０７内のボックス領域に関連付けてマーク情報を登録しておき、該マーク情報が登録されたボックス領域に格納される画像データの出力が指示された際には、前記画像データと前記画像データが格納されるボックス領域に関連付けられて登録されたマーク情報に応じたマーク画像とを重ね合わせる画像合成を行うように画像形成を制御する構成を特徴とする。【選択図】図１
2006324954.tif 000002
【特許請求の範囲】
【請求項１】
画像データにマーク画像を重ね合わせて画像形成可能な画像形成装置であって、
入力される画像データを指定される記憶手段の記憶領域に格納する格納手段と、
前記記憶手段内の記憶領域に関連付けてマーク情報を登録する登録手段と、
前記登録手段によりマーク情報が登録された記憶領域に格納される画像データの出力が指示された際には、前記画像データと前記画像データが格納される記憶領域に関連付けられて登録されたマーク情報に応じたマーク画像とを重ね合わせる画像合成を行うように画像形成を制御する制御手段と、
を有することを特徴とする画像形成装置。
【請求項２】
前記マーク情報は、前記マーク情報に応じたマーク画像の出力様式を含むものであり、
前記制御手段は、前記画像データと前記画像データが格納される記憶領域に関連付けられて登録されたマーク情報に応じたマーク画像とを前記出力様式に応じて重ね合わせる画像合成を行うように画像形成を制御することを特徴とする請求項１記載の画像形成装置。
【請求項３】
前記マーク情報に応じたマーク画像は、文字列に修飾が施された画像であり、
前記マーク情報は、マークに対応する文字列と、前記文字列の文字飾り形式，フォント，文字サイズ，文字色，文字角度，合成位置のうち少なくとも１つを含む出力様式を含むことを特徴とする請求項1又は２記載の画像形成装置。
【請求項４】
前記マーク情報は、マークに対応する画像と、前記画像のサイズ，合成角度，合成位置のうち少なくとも１つを含む出力様式を含むことを特徴とする請求項1又は２記載の画像形成装置。
【請求項５】
前記出力様式中のマークの合成位置は、出力用紙サイズに対する割合で示されることを特徴とする請求項３又は４記載の画像形成装置。
【請求項６】
前記記憶手段内の記憶領域に関連付けられたマークをプレビュー表示させながら、画像データを格納する記憶領域を指定させることを特徴とする請求項1〜５のいずれかに記載の画像形成装置。
【請求項７】
前記制御手段による画像合成を無効に設定する設定手段を有し、
前記制御手段は、前記設定手段により画像合成が無効に設定されている場合には、前記登録手段によりマークが登録された記憶領域に格納される画像データの出力が指示された場合であっても、前記画像合成を行うことなく前記画像データを画像形成を制御することを特徴とする請求項1〜６のいずれかに記載の画像形成装置。
【請求項８】
前記画像データは、原稿から画像データを読み取ることにより入力されるものであり、
前記入力される画像データを格納する前記記憶領域は、画像形成装置の操作部から指定されることを特徴とする請求項１〜７のいずれかに記載された画像形成装置。
【請求項９】
前記画像データは、外部装置から入力されるものであり、
前記入力される画像データを格納する前記記憶領域は、前記外部装置から指定されることを特徴とする請求項１〜７のいずれかに記載された画像形成装置。
【請求項１０】
画像データを印刷設定情報に基づいて画像形成可能な画像形成装置であって、
入力される画像データを指定される記憶手段の記憶領域に格納する格納手段と、
前記記憶手段内の記憶領域に関連付けて印刷設定情報を登録する登録手段と、
前記登録手段により印刷設定情報が登録された記憶領域に格納される画像データの出力が指示された際には、前記画像データを前記画像データが格納される記憶領域に関連付けられて登録された印刷設定情報に基づいて画像形成を制御する制御手段と、
を有することを特徴とする画像形成装置。
【請求項１１】
画像読取設定に基づいて原稿画像を読み取って画像データを記憶手段に格納可能な画像読取装置であって、
前記読み取られる画像データを記憶させる前記記憶手段内の記憶領域を指定する指定手段と、
前記記憶手段内の記憶領域に関連付けて画像読取設定情報を登録する登録手段と、
前記登録手段により画像読取設定情報が登録された記憶領域が指定されて原稿画像の読み取りが指示された際には、前記指定された記憶領域に関連付けて登録されている画像読取設定情報に基づいて、前記画像データの読み取りを制御する制御手段と、
を有することを特徴とする画像読取装置。
【請求項１２】
画像データマーク画像を重ね合わせて画像形成可能な画像形成装置における画像形成方法であって、
入力される画像データを指定される記憶手段の記憶領域に格納する格納ステップと、
前記記憶手段内の記憶領域に関連付けてマークを登録する登録ステップと、
前記登録ステップによりマークが登録された記憶領域に格納される画像データの出力が指示された際には、前記画像データと前記画像データが格納される記憶領域に関連付けられて登録されたマークとを重ね合わせる画像合成を行うように画像形成を制御する画像形成ステップと、
を有することを特徴とする画像形成方法。
【請求項１３】
請求項１２に記載された画像形成方法をコンピュータに実行させるためのプログラム。
【請求項１４】
請求項１２に記載された画像形成方法をコンピュータに実行させるためのプログラムをコンピュータが読み取り可能に記憶した記憶媒体。
【発明の詳細な説明】
【技術分野】
【０００１】
本発明は、ウォータマークを合成して文書出力を行う画像形成装置に関するものである。より詳しくは、パーソナルボックス機能を備える画像形成装置におけるウォータマーク合成出力に関するものである。
【背景技術】
【０００２】
従来、「機密」「回覧」「サンプル」などの文字列や、組織のロゴマークなどをウォータマークとして文書に付与して出力する場合、文書を編集閲覧するアプリケーションやプリンタドライバのウォータマーク機能が用いられていた。また、近年では文書のコピー、プリント出力を行う複写機、プリンタ、複合機の中にウォータマークを合成出力機能を備える画像出力装置もあり、これらの機能を利用してウォータマーク出力を行っていた。
【０００３】
ウォータマーク合成出力の際にユーザが設定しなければならない指定の中には、マークとして用いる文字列を合成する場合、文字列の指定、フォントやポイント数、色、合成位置、すかし率、角度、囲みの有無などのマーク出力様式の指定があり、所望の出力を得るためにはこれらの設定を詳細に行う必要がある。この作業が煩雑であるため、アプリケーションやドライバ側で一般的によく用いられるウォータマークを事前に用意したり、さらにプリンタドライバにおけるマーク設定を容易にするための提案(特許文献１)がなされている。
【０００４】
一方で、近年ハードディスクを搭載する複写機、プリンタ、複合機が増加し、その応用機能としてパーソナルボックス機能を備える製品が増加してきている。パーソナルボックス機能は、仕様書やマニュアル、カタログやパンフレットなど必要に応じて繰り返し印刷するような文書を、プリントイメージとしてパーソナルボックスに登録することで、ＰＤＬ展開やスキャン入力を繰り返すことなく即座に印刷出力することを可能とする機能であり、出力時にウォータマークなどの画像合成を行う技術（特許文献２）が提案されている。
【特許文献１】特開２０００−２０２７１号公報
【特許文献２】特開２００１−９４７５６号公報
【発明の開示】
【発明が解決しようとする課題】
【０００５】
しかしながら、上述した従来の技術では、以下のような課題があった。
【０００６】
すなわち、ウォータマークの指定は出力の度に毎回適切な指定をする必要があり煩雑であった。
【０００７】
また仮に、頻繁に用いるウォータマークの種類およびその設定をプリンタドライバなどのお気に入り設定として登録したとしても、例えば組織のロゴマークなどの定型のマークを出力文書に常に付与してプリントする出力フローを実現するためには、これら設定を複数のパーソナルコンピュータ間で共有する必要があるが、これは困難であった。
【０００８】
さらに近年、機密文書や著作権を有するコンテンツの出力など文書出力におけるセキュリティへの意識が高まってきている中で、著作権表示やサンプル出力であることの明示のために、出力時に必ずウォータマークを付与することが必要な場合もあり、このような場合には、出力元データに予めマークを合成してしまうしか手段がなかったが、コンテンツ管理上マークあり・なしの両方を維持管理する手間を要していた等の問題点があった。
【０００９】
また、このような問題は、ウォータマークに限られるものではなく、各種印刷設定に関しても同様な問題を含んでいた。
【００１０】
さらに、原稿から画像を読み取って記憶装置に記憶させる際にも、同様に、毎回、読取設定を指定しなければならず煩雑である等の問題点があった。
【００１１】
本発明は、上記の問題点を解決するためになされたもので、本発明の目的は、画像データにマーク画像を重ね合わせて画像形成可能な画像形成装置であって、入力される画像データを指定される記憶手段の記憶領域に格納し、前記記憶手段内の記憶領域に関連付けてマーク情報を登録しておき、該マーク情報が登録された記憶領域に格納される画像データの出力が指示された際には、前記画像データと前記画像データが格納される記憶領域に関連付けられて登録されたマーク情報に応じたマーク画像とを重ね合わせる画像合成を行うように画像形成を制御することにより、画像データを格納する記憶領域に一度マーク登録をすれば、その記憶領域に画像データを格納するだけで、出力時にマーク合成が実現されるため、出力の度にマーク設定をする手間を省略することができる画像形成装置および画像形成方法およびプログラムおよび記憶媒体を提供することである。
【課題を解決するための手段】
【００１２】
本発明は、画像データにマーク画像を重ね合わせて画像形成可能な画像形成装置であって、入力される画像データを指定される記憶手段の記憶領域に格納する格納手段と、前記記憶手段内の記憶領域に関連付けてマーク情報を登録する登録手段と、前記登録手段によりマーク情報が登録された記憶領域に格納される画像データの出力が指示された際には、前記画像データと前記画像データが格納される記憶領域に関連付けられて登録されたマーク情報に応じたマーク画像とを重ね合わせる画像合成を行うように画像形成を制御する制御手段とを有することを特徴とする。
【発明の効果】
【００１３】
本発明によれば、画像データにマーク画像を重ね合わせて画像形成可能な画像形成装置であって、入力される画像データを指定される記憶手段の記憶領域に格納し、前記記憶手段内の記憶領域に関連付けてマーク情報を登録しておき、該マーク情報が登録された記憶領域に格納される画像データの出力が指示された際には、前記画像データと前記画像データが格納される記憶領域に関連付けられて登録されたマーク情報に応じたマーク画像とを重ね合わせる画像合成を行うように画像形成を制御するので、画像データを格納する記憶領域に一度マーク登録をすれば、その記憶領域に画像データを格納するだけで、出力時にマーク合成が実現されるため、出力の度にマーク設定をする手間を省略することができる。
【００１４】
また、マークが記憶領域と関連付けられているため、複数のユーザが同一の記憶領域を利用することで複数ユーザ間でマーク設定を共有することができる。
【００１５】
さらに、一度そのフォルダに画像を登録すれば出力時に必ずマークが合成されるため、マーク出力を強制することが可能となり、著作権表示などのセキュリティを確保できる。
【００１６】
従って、画像データにマーク画像を重ね合わせて画像形成を行うための優れた操作性を備えた画像形成環境を提供することができる等の効果を奏する。
【発明を実施するための最良の形態】
【００１７】
〔第１実施形態〕
図１は、本発明の情報処理装置および画像処理装置を適用可能な画像処理システムの構成を示すブロック図である。
【００１８】
図１において、１００は画像処理装置としてのデジタル複写機であり、デジタル複写機本体１０１及び画像入出力制御部１０５から構成される。デジタル複写機本体１０１は、操作部１０２、画像読取装置としてのリーダ部１０３、画像形成装置としてのプリンタ部１０４から構成される。操作部１０２は、デジタル複写機本体１０１及び画像入出力制御部１０５を操作するために使用する。リーダ部１０３は、原稿の画像を読み取り、原稿画像に応じた画像データをプリンタ部１０４及び画像入出力制御部１０５へ出力する。
【００１９】
プリンタ部１０４は、リーダ部１０３及び画像入出力制御部１０５からの画像データに応じた画像を記録紙上に記録する。画像入出力制御部１０５は、リーダ部１０３に接続されており、コンピュータインタフェース部１０６、画像メモリ１０７、制御部１０８、バックアップＲＡＭ１１０から構成される。
【００２０】
コンピュータインタフェース部１０６は、情報処理装置としてのパーソナルコンピュータ又はワークステーション（ＰＣ／ＷＳ）１０９によって構成されるプリントサーバと制御部１０８の間のインタフェースである。このコンピュータインタフェース部１０６は、ＰＣ／ＷＳ１０９から転送された画像を表すコードデータ（ＰＤＬ）をプリンタ部１０４で記録できる画像データに展開して制御部１０８に渡す。
【００２１】
制御部１０８は、リーダ部１０３，コンピュータインタフェース部１０６，画像メモリ１０７のそれぞれの間のデータの流れを制御するものである。また、制御部１０８は、ＣＰＵ，ＲＯＭ，ＲＡＭ等を有し、ＣＰＵがＲＯＭ又は他の記憶媒体に格納されたプログラムに基づいてデジタル複写機本体１０１，画像入出力制御部１０５を含むデジタル複写機１００全体を統括制御する。なお、前記ＲＡＭは、ＣＰＵの作業領域として用いられる。
【００２２】
バックアップＲＡＭ１１０は、電源を落としても消去されないメモリであり、例えばハードディスク等である。このバックアップＲＡＭ１１０は、デジタル複写機本体１０１及び画像入出力制御部１０５においてバックアップしておかなければならないデータを保存しておくためのものである。
【００２３】
ＰＣ／ＷＳ１０９は、図示しないＣＰＵ，ＲＯＭ，ＲＡＭ，ハードディスク（ＨＤＤ），デジタル複写機１００とのインタフェース，ディスプレイ，キーボード，ポインティングデバイス等を有し、ＣＰＵがＲＯＭ、ＨＤＤ、又は他の記憶媒体に格納されたプログラムに基づいてＰＣ／ＷＳ１０９全体を統括制御し、ＰＤＬデータを生成しデジタル複写機１００に送信制御する。
【００２４】
図２は、図１に示したデジタル複写機本体１０１の構成を示す断面図であり、特にＺ折りユニット，フィニッシャ等が装着された場合に対応する。なお、図１と同一のものには同一の符号を付してある。
【００２５】
図２に示すリーダ部１０３において、２０１は原稿給送装置である。この原稿給送装置２０１は、原稿を先頭順に１枚ずつプラテンガラス２０２上へ給送し、原稿の読み取り動作終了後、プラテンガラス２０２上の原稿を排出するものである。原稿がプラテンガラス２０２上に搬送されると、ランプ２０３を点灯し、そしてスキャナユニット２０４の移動を開始させて、原稿を露光走査する。この時の原稿からの反射光は、ミラー２０５，２０６，２０７及びレンズ２０８によってＣＣＤイメージセンサ（以下ＣＣＤという）２０９へ導かれる。このように、走査された原稿の画像はＣＣＤ２０９によって読み取られる。
【００２６】
次に、プリンタ部１０４において、２２１はレーザドライバである。このレーザドライバ２２１は、レーザ発光部２１０を駆動するものであり、出力画像データに応じたレーザ光をレーザ発光部２１０に発光させる。このレーザ光は、感光ドラム２１１に照射され、感光ドラム２１１にはレーザ光に応じた潜像が形成される。そして、この感光ドラム２１１の潜像の部分には、現像器２１２によって現像剤が付着される。カラー機の場合は、イエロー、マゼンタ、シアン、ブラックの４色分現像器が装着される。
【００２７】
そして、レーザ光の照射開始と同期したタイミングで、カセット２１３及びカセット２１４、手差し給紙段２２７のいずれかから記録紙を給紙して転写部２１５へ搬送し、感光ドラム２１１に付着された現像剤を記録紙に転写する。現像剤の乗った記録紙は定着部２１６に搬送され、定着部２１６の熱と圧力により現像剤は記録紙に定着される。そして、定着部２１６を通過した記録紙は、排出ローラ２１７によって排出される。なお、両面記録が設定されている場合は、排出ローラ２１７のところまで記録紙を搬送した後、排出ローラ２１７の回転方向を逆転させ、フラッパ２１８によって再給紙搬送路２１９へ導く。再給紙搬送路２１９へ導かれた記録紙は上述したタイミングで転写部２１５へ給紙される。
【００２８】
なお、Ｚ折りユニット２２６が本体に装備されている場合には、Ｚ折りユニットへ記録紙が搬送され、操作部からの操作に応じてＺ折りが行われる。また、フィニッシャ２２０が装備されている場合、排出された記録紙を束ねて記録紙の仕分けをしたり、ユーザからの指定に応じてパンチャ２２３で記録紙のパンチが、ステイプラ２２４でステイプルがそれぞれ行われる。
【００２９】
また、サドルステッチャ２２５を使用すると、記録紙の中央部をステッチし、その中央部を折ることにより記録紙が製本される。インサータ２２２では、予め印刷された記録紙を、表紙や合紙として給紙することが可能となり、プリンタ部の記録紙経路を通すことがないため用紙を傷めず搬送することができる。
【００３０】
サドルステッチャ２２５を使用しないジョブは、排紙口２３１を通り、可動トレイ２２８，２２９のどちらかに排出される。この可動トレイ２２８，２２９は、両方共上下に動作することができ、可動トレイ２２８に出力する場合には可動トレイ２２８が排紙口２３１の位置まで降りる。サドルステッチャ２２５を使用するジョブは、排紙口２３２を通り、製本トレイ２３０に排出される。
【００３１】
なお、本実施形態では、プリンタ部（プリンタエンジン）１０４がレーザビーム方式である場合を例にして説明したが、レーザビーム方式以外の電子写真方式（例えばＬＥＤ方式）でも、液晶シャッタ方式、インクジェット方式、熱転写方式、昇華方式でもその他のプリント方式であっても本発明は適用可能である。
【００３２】
図３は、図１に示した操作部（操作パネル）１０２のキー配列を示す平面図である。
【００３３】
図３において、３０１は電源スイッチで、本体への通電を制御する。３０２は予熱キーで、予熱モードのＯＮ／ＯＦＦに使用する。３０３はコピーＡモードキーで、複数の機能の中からコピーＡモードを選択するときに使用する。３０４はコピーＢモードキーで、複数の機能の中からコピーＢモードを選択するときに使用する。コピーＡ及びコピーＢとは、各々同じコピー機能であるが、片方のコピーのスキャナ読み込みが終了している場合は次のコピーの入力ができるため、敢えてユーザに分かりやすくするために二つのコピーに分けている。
【００３４】
３０５はメールボックスキーで、複数の機能の中からメールボックスモードを選択するときに使用する。メールボックス機能とは、ユーザ個人や部署毎に複写機内のメモリに記憶領域を持ち、そこにＰＤＬやスキャン画像を入れておき、好きなときに出力する機能である。３０６は拡張キーで、ＰＤＬに対する操作を行うときに使用する。これらのキー３０３〜３０６は、後述するＬＣＤタッチパネル３１６の各々の機能画面を呼び出すときにも使用され、ＬＣＤ３１６の表示により各々のジョブの状況を見ることができる。
【００３５】
３０７はコピースタートキーで、コピーの開始を指示するときに用いるキーである。３０８はストップキーで、コピーを中断したり、中止したりするときに用いるキーである。３０９はリセットキーで、スタンバイ中は標準モードに復帰させるキーとして動作する。３１０はガイドキーで、各機能を知りたいときに使用するキーである。３１１はユーザモードキーで、ユーザがシステムの基本設定を変更するときに使用する。３１２は割り込みキーで、コピー中に割り込みしてコピーしたいときに用いる。
【００３６】
３１３はテンキーで、数値の入力を行うときに使用する。３１４はクリアキーで、テンキー３１３により入力された数値をクリアするときに用いる。３１５はＩＤキーで、複写機を使用する場合にＩＤの入力モードに移行するときに使用する。３１６は液晶画面とタッチセンサの組合せからなるＬＣＤタッチパネルで、各モード毎に個別の設定画面が表示され、さらに描画されたキーに触れることで、各種の詳細な設定を行うことが可能である。また、各々のジョブの動作状況表示なども行う。３１７はネットワークの通信状態を示すタリーランプで、通常緑色で、通信しているときは緑色で点滅し、ネットワークエラーの場合には赤色になる。
【００３７】
図４は、図３に示した操作パネル（ＬＣＤタッチパネル３１６）に表示されるコピー標準画面を示した模式図である。本実施形態の画像処理装置は、電源投入時にデフォルトとして以下に示すコピー標準画面で起動するように図１に示した制御部１０８のＣＰＵにより制御されている。
【００３８】
図４において、４０１はメッセージラインで、コピージョブの状態をメッセージで表示する。４０２は倍率表示で、設定された倍率やコピーモードによって自動的に決められる倍率をパーセントで表示する。４０３は用紙サイズ表示で、選択された出力用紙を表示し、自動用紙選択が設定されている場合にはオート用紙というメッセージを表示する。４０４は置数表示で、何枚コピーするかを示す。
【００３９】
４０５は縮小キーで、縮小コピーを行いたい場合に使用する。４０６は等倍キーで、縮小や拡大が設定されている場合に等倍に戻したいときに使用する。４０７は拡大キーで、拡大コピーを行いたい場合に使用する。４０８はズームキーで、細かい単位で倍率を設定して縮小コピーや拡大コピーを行いたい場合に使用する。
【００４０】
４０９は用紙選択キーで、出力用紙を指定する場合に使用する。４１０はソータキーで、ソートやステイプルのモードを設定する場合に使用する。４１１は両面キーで、両面モードを設定する場合に使用する。
【００４１】
４１２は濃度表示で、現在の濃度が分かるようになっており、左側が濃度が薄く、右側が濃度が濃いことを示す。また、濃度表示４１２は、うすくキー４１３，こくキー４１５と連動して表示が変化するようになっている。うすくキー４１３は、濃度を薄くしたい場合に使用する。こくキー４１５は、濃度を濃くしたい場合に使用する。４１４は自動キーで、自動的に濃度を決定するモードを使用する場合に使用する。
【００４２】
４１６は文字キーで、文字原稿をコピーするのに適した濃度に自動的に設定する文字モードを設定する場合に使用する。４１７は文字／写真キーで、写真が混在した原稿をコピーするのに適した濃度に自動的に設定する文字／写真モードを設定する場合に使用する。４１８は応用モードキーで、コピー標準画面で設定できない様々なコピーモードを設定する場合に使用する。なお、この応用モードキー４１８は、後述するスキャンを行ってボックス領域に画像データを格納する際にも使用する。
【００４３】
４１９はプリント状況キーで、現在このデジタル複写機１００のデジタル複写機本体１０１で行われているプリントの状況を見たい場合に使用する。プリント状況キー４１９は、コピー標準画面だけではなく、常にこの位置に現れており、いつでもこのキーを押すことによりプリント状況を見ることができるようになっている。
【００４４】
図５は、図１に示した画像メモリ１０７の論理的な使用方法を示した図である。
【００４５】
図５に示すように、本実施形態においては使用用途に応じてハードディスク等の画像メモリ１０７の記憶領域を、テンポラリ領域５０１とボックス全体領域５０２に論理的に分ける。
【００４６】
テンポラリ領域５０１は、画像データの出力順序を変えたり、複数部出力においても一回のスキャンで出力ができるようにするために、ＰＤＬの展開データやスキャナからの画像データを一時的に記憶する記憶領域である。
【００４７】
ボックス全体領域５０２は、ボックス機能を使用するための記憶領域であり、ボックス領域５０３，５０４，５０５，・・・のように登録された数の小さな記憶領域に分割されている。このボックス領域５０３，５０４，５０５，・・・は、各ユーザや会社などの部署毎に割り当てられ、各ボックスにはボックス名とパスワードを付けることができる。ユーザは、いずれかのボックスを指定することでＰＤＬジョブやスキャンジョブを各ボックスへ入力することができ、また、パスワードを入力することで実際にボックスの中を見たり、設定変更やプリント出力を行うことができる。
【００４８】
以下、図６のフローチャートを参照して、本実施形態におけるボックス登録の手順について説明する。
【００４９】
図６は、本発明の画像処理装置における第１，２の制御処理手順の一例を示すフローチャートであり、本実施形態におけるボックス登録の手順に対応する。
【００５０】
なお、ボックスへの登録は、ホストコンピュータ（ＰＣ／ＷＳ１０９）からのＰＤＬ画像と、スキャナからのスキャン画像の登録があり、それぞれ図６の（ａ），（ｂ）が対応する。
【００５１】
まず、図６（ａ）を参照して、ＰＤＬ画像を登録する場合（第１の制御処理）について説明する。なお、図６（ａ）中のＳ６０１〜Ｓ６０３は、図１に示したＰＣ／ＷＳ１０９の図示しないＣＰＵによりハードディスク又は他の記憶媒体に格納されたプログラムに基づいて実行される各ステップに対応する。また、Ｓ６０４〜Ｓ６０５は、図１に示した制御部１０８内のＣＰＵによりＲＯＭ又は他の記憶媒体に格納されたプログラムに基づいて実行される各ステップに対応する。
【００５２】
まず、ＰＣ／ＷＳ１０９のＣＰＵが表示制御する図７に示す印刷ダイアログ１００上のプロパティボタン１００１が押下（指示）されると、ステップＳ６０１において、ＰＣ／ＷＳ１０９のＣＰＵは、図８に示す印刷属性設定画面１１００をディスプレイ上に表示制御して、ユーザによるプリント設定を受け付ける。そして、ＰＣ／ＷＳ１０９上でユーザによりプリント設定が行われると、ＰＣ／ＷＳ１０９のＣＰＵは、ステップＳ６０２に処理を進める。このプリント設定内容は、部数、用紙サイズ、拡大縮小率、片面／両面、ページ出力順序、ソート出力、ステイプル止めの有無等を示すものである。
【００５３】
図７は、図１に示したＰＣ／ＷＳ１０９の図示しないディスプレイ上に表示される印刷ダイアログの一例を示す図である。
【００５４】
図８は、図１に示したＰＣ／ＷＳ１０９の図示しないディスプレイ上に表示される印刷属性設定画面の一例を示す図である。
【００５５】
以下、図６（ａ）のフローチャートの説明に戻る。
【００５６】
そして、ＰＣ／ＷＳ１０９のＣＰＵは、印刷属性設定画面１１００のフォルダ選択ボタン１１０１が指示されると、ステップＳ６０２において、ＰＣ／ＷＳ１０９のＣＰＵは、図９に示すフォルダ選択画面１２００を図示しないディスプレイ上に表示制御し、ユーザによるフォルダの選択指定（図５に示したボックス領域５０３，５０４，５０５，・・・のいずれかの領域の選択指定）を受け付ける（なお、図９ではボックス領域５０３，５０４，５０５，・・・に名前が付加されている）。そして、フォルダ選択画面１２００でユーザによりボックス番号（フォルダ）が選択指定されると（フォルダ一覧表示領域１２０１でフォルダが選択指定され、選択ボタン１２０２が指示されると）、ＰＣ／ＷＳ１０９のＣＰＵは、ステップＳ６０３に処理を進める。
【００５７】
図９は、図１に示したＰＣ／ＷＳ１０９の図示しないディスプレイ上に表示されるフォルダ選択画面の一例を示す図である。なお、図９（ａ），図９（ｂ）は別のフォルダを選択した画面の例を示す。
【００５８】
図９において、１２０３はウォータマーク表示欄で、選択指定されたフォルダに登録されているウォータマークが表示される。
【００５９】
なお、フォルダ一覧表示領域１２０１に表示されるフォルダの情報や、ウォータマーク表示欄１２０３に表示されるウォータマークの情報は、ＰＣ／ＷＳ１０９のＣＰＵが、ステップＳ６０２の実行されるタイミング又はそれ以前のタイミングで、デジタル複写機１００に要求してデジタル複写機１００から取得するものとする。
【００６０】
以下、図６（ａ）のフローチャートの説明に戻る。
【００６１】
次に、ステップＳ６０３において、ＰＣ／ＷＳ１０９のＣＰＵは、図８の印刷属性設定画面１１００でＯＫボタン１１０２が指示され、さらに、印刷ダイアログ１０００のＯＫボタン１００２が指示されると、ＰＣ／ＷＳ１０９上にインストールされているドライバソフトウェア（ＰＣ／ＷＳ１０９のＣＰＵが実行）が印刷対象となるコードデータをいわゆるＰＤＬデータに変換する。さらに、ドライバソフトウェア（ＰＣ／ＷＳ１０９のＣＰＵ）は、ステップＳ６０１，Ｓ６０２で設定されたプリント設定パラメータ，フォルダ選択パラメータとともに、画像処理装置の制御装置１１０にＰＤＬデータを転送する。
【００６２】
一方、デジタル複合機１００側では、ＰＣ／ＷＳ１０９から転送されたプリント設定パラメータ，フォルダ選択パラメータ，ＰＤＬデータをコンピュータインタフェース部１０６を介して受信すると、ステップＳ６０４において、制御部１０８のＣＰＵは、ＰＣ／ＷＳ１０９から転送されたＰＤＬデータを、上記プリント設定パラメータに基づいて画像データに展開（ラスタライズ）する。そして、画像データの展開が完了すると、制御部１０８のＣＰＵは、ステップＳ６０５に処理を進める。
【００６３】
次に、ステップＳ６０５において、制御部１０８のＣＰＵは、上記展開した画像データを、画像メモリ１０７内の上記フォルダ選択パラメータで選択指定されたボックス領域（画像メモリ１０７内の指定された記憶領域）に記憶（格納）する。そして、画像データ格納後、制御部１０８のＣＰＵは、処理を終了する。
【００６４】
例えば、ＰＣ／ＷＳ１０９上でボックス領域１（５０３）に対応するフォルダが選択指定された場合には、画像データはボックス領域１（５０３）内に記憶される。なお、ＰＣ／ＷＳ１０９上で設定されたプリント設定パラメータもボックス領域１（５０３）に記録される。また、ボックス領域２（５０４），ボックス領域３（５０５）に対応するフォルダが選択指定された場合には、画像データはボックス領域２（５０４），ボックス領域３（５０５）に対応するフォルダが選択指定された場合には、画像データはボックス領域２（５０４），ボックス領域３（５０５）内に記憶される。
【００６５】
なお、図９では、それぞれのボックス領域に任意の文字列による名前が付与されている場合について示したが、それぞれのボックス領域１（５０３），ボックス領域２（５０４），ボックス領域３（５０５），・・・を番号、例えば「１」，「２」，「３」，・・・で指定するように構成してもよい。
【００６６】
次に、図６（ｂ）を参照して、スキャナ（リーダ部１０３）からのスキャン画像を登録する場合（第２の制御処理）について説明する。なお、図６（ｂ）中のＳ６０６〜Ｓ６０９は、図１に示した制御部１０８内のＣＰＵによりＲＯＭ又は他の記憶媒体に格納されたプログラムに基づいて実行される各ステップに対応する。
【００６７】
まず、制御部１０８のＣＰＵは、図４に示した応用モード４１８が指示され、さらに、図示しない応用モード画面により画像読み取りキーが指示されると、ステップＳ６０４において、図９に示したフォルダ選択画面１２００を図３に示したＬＣＤタッチパネル３１６に表示し、ユーザによるフォルダの選択指定（図５に示したボックス領域５０３，５０４，５０５，・・・のいずれかの領域の選択指定）を受け付ける。そして、フォルダ選択画面１２００でユーザによりボックス番号（フォルダ）が選択指定されると（フォルダ一覧表示領域１２０１でフォルダが選択指定され、選択ボタン１２０２が指示されると）、制御部１０８のＣＰＵは、ステップＳ６０７に処理を進める。
【００６８】
次に、ステップＳ６０７において、制御部１０８のＣＰＵは、操作部１０２を用いた画像処理等のスキャン設定を受け付ける。そして、操作部１０２を用いてユーザによりスキャン設定が指示されると、制御部１０８のＣＰＵは、ステップＳ６０８に処理を進める。
【００６９】
次に、ステップＳ６０８において、図３に示したスタートキー３０７が押下されると、制御部１０８のＣＰＵは、リーダ部１０３にスキャンスタートを指示して、リーダ部１０３で原稿の読み取り（スキャン）を実行させる。
【００７０】
そして、制御部１０８のＣＰＵは、ステップＳ６０９において、ステップＳ６０８で読み取った（スキャンした）画像を、ステップＳ６０６で指定されたボックス領域に格納し、処理を終了する。
【００７１】
なお、制御部１０８のＣＰＵは、画像入力時に設定されたフィニッシングの設定や両面等の画像の割り付け等の処理モードを、画像の保存時（上記ステップＳ６０５，Ｓ６０９における画像データの格納時）にジョブ属性としてメモリ（選択されたボックス領域）に保存しておき、画像の入力とは非同期に、これらジョブ情報に基づきプリント出力することができる。
【００７２】
以下、図１０〜図１３を参照して、フォルダ（ボックス領域）に保存された画像データの印刷処理について説明する。
【００７３】
図１０は、本実施形態における操作パネル上に表示されるフォルダ選択画面の一例を示す模式図である。この画面は、図３に示した操作パネルのボックスキー３０５を押下した場合に制御部１０８のＣＰＵによりＬＣＤタッチパネル３１６上に表示制御される。
【００７４】
ここでいうフォルダとは、図５に示したボックス領域５０３，５０４，５０５，・・・に対応する文書の格納単位を表すものである。
【００７５】
図１０（ａ）において、７０１は作成済みのフォルダ一覧表示領域である。このフォルダ一覧表示領域７０１には、ユーザによって付与されたフォルダ名が一覧表示され、その中で現在選択されているフォルダ部分が制御部１０８のＣＰＵにより強調表示（この例では反転表示）制御される。
【００７６】
７０２はスクロールバーであり、フォルダ一覧表示領域７０１に一度に表示しきれない数のフォルダが存在する場合には、このスクロールバー７０２により表示をスクロールすることができる。
【００７７】
７０３は現在選択されているフォルダのフォルダマーク表示領域である。このフォルダマーク表示領域７０３には、フォルダ一覧表示領域７０１で選択されているフォルダに後述するフォルダマーク登録手順によりフォルダと関連付けて登録されたウォーターマークイメージが制御部１０８のＣＰＵにより表示制御される。なお、選択中のフォルダにフォルダマークが登録されていない場合には、このフォルダマーク表示領域７０３には空白が制御部１０８のＣＰＵにより表示制御される。
【００７８】
７０６はマーク作成編集ボタンである。このマーク作成編集ボタン７０６は、フォルダマークを登録、編集する画面へ遷移するためのボタンであり、新規にフォルダマークを登録する場合または登録済みのマークを編集する場合にこのボタンを選択する。
【００７９】
７０５は選択ボタンであり、現在選択中のフォルダ内に格納された文書を表示するための画面（図１１に示すフォルダ内文書選択画面）へ遷移するためのボタンである。７０４は戻るボタンであり、フォルダ選択画面の上位画面へ遷移するためのボタンである。７０６はマーク作成編集ボタンであり、フォルダマーク作成，編集のための画面（図１２に示すマーク作成変種画面）へ遷移するためのボタンである。
【００８０】
なお、図１０（ａ）と図１０（ｂ）は別のフォルダを選択した画面の例であり、フォルダ毎に別のフォルダマークが登録されている様子を表している。
【００８１】
図１１は、図１０に示した選択ボタン７０５を押下後に制御部１０８のＣＰＵにより表示制御されるフォルダ内文書選択画面の一例を示す図である。
【００８２】
図１１において、８０１は文書一覧であり、図１０に示したフォルダ選択画面のフォルダ一覧表示領域７０１で選択されたフォルダ内に格納されている文書の文書名が制御部１０８のＣＰＵにより一覧表示される。
【００８３】
８０２はフォルダタブであり、現在、文書一覧８０１に表示しているフォルダ名称が制御部１０８のＣＰＵにより表示制御される。８０３はプレビュー表示領域であり、現在選択されている文書のプレビューイメージが制御部１０８のＣＰＵにより表示制御される。ここで、現在表示しているフォルダにフォルダマークが登録されている場合には、文書にフォルダマークを合成したプレビューイメージが制御部１０８のＣＰＵにより表示制御される。
【００８４】
８０４はページスクロールボタンであり、プレビュー表示される文書中のページを進めたり、戻したりするページめくりのためのボタンである。このページスクロールボタン８０４の左隣には、現在表示中のページ番号と文書の全ページ数が制御部１０８のＣＰＵにより表示制御される。
【００８５】
８０５は印刷ボタンであり、文書一覧８０１で選択された文書を印刷する場合に押下（指示）するものである。この印刷ボタン８０５を指示すると図４に示したようなプリント設定画面に遷移し、選択文書のプリント設定とプリント指示が可能となる。このプリント設定画面が表示された状態でプリント指示（スタートボタン３０７の押下）が行われた場合には、制御部１０８のＣＰＵにより自動的に（ユーザが明示的にウォータマーク機能を設定しなくても）、フォルダマークと文書画像が合成されてプリント出力される。
【００８６】
８０６は戻るボタンであり、図１０に示したフォルダ選択画面へ戻るためのボタンである。
【００８７】
図１２は、図１０に示したマーク作成編集ボタン７０６を押下した後に制御部１０８のＣＰＵにより表示制御されるフォルダマーク作成，編集のためのマーク作成編集画面の一例を示す図である。
【００８８】
図１１において、９０１はマークイメージのプレビュー表示領域であり、本マーク作成編集画面内で指定するさまざまなパラメータ設定に応じたマークの様式、レイアウトを視覚的に確認するためのものである。このマークイメージのプレビュー表示領域９０１への表示は、制御部１０８のＣＰＵが、本マーク作成編集画面内で指定するさまざまなパラメータ設定に基づいて表示制御する。
【００８９】
９０２はマーク一覧領域であり、マークとして登録済みのマークを表示、選択するための領域である。９０３は新規追加ボタンであり、新規マークを作成する場合にはこの新規追加ボタン９０３を押下する。９０４はマーク名フィールドであり、マークに任意の名称を付与するためのテキストボックスである。なお、このマーク名フィールドで与えた名称が上述のマーク一覧領域９０２に表示される。
【００９０】
９０５はマークテキスト入力フィールドであり、実際にマークとなる文字列を入力する領域である。９０６はフォント入力領域、９０７はスタイル入力領域、９０８はサイズ入力領域、９０９は色入力領域であり、マークテキスト入力フィールド９０５に入力されたマーク文字列に対して、フォント、スタイル、サイズ、色等の様式を指定するためのものである。
【００９１】
９１０はマークに囲み指定部であり、マークテキスト入力フィールド９０５に入力されたマーク文字列で生成されるマークに囲み（丸囲み、四角囲み）を行うか否かを指定するためのものである。
【００９２】
９１３は座標入力部であり、本マーク作成編集画面で作成，編集されるマークの配置、レイアウトに関してその位置を座標により指定するためのものである。なお、この座標入力９１３で指定されたマークの合成位置は、文書の出力用紙サイズに対する割合で指定するものである。なお、印刷処理時には、上記座標入力９１３で指定されたマークの合成位置は、文書の出力用紙サイズに対する割合で変換され、対応する位置に合成されるように、制御部１０８のＣＰＵにより制御される。９１４は角度入力部であり、本マーク作成編集画面で指定されるマークの角度（文字角度）を指定するためのものである。
【００９３】
９１１は印刷方式指定部であり、本マーク作成編集画面で作成，編集されるマークを透かし印刷するか、又は重ね印刷するかの指定を選択するためのものである。９１２は印刷ページ指定部であり、本マーク作成編集画面で作成，編集されるマークを先頭ページだけ印刷するか、全ページに印刷するかの指定を選択するためのものである。
【００９４】
ユーザは、以上の９０２〜９１２によるマークに関わるさまざまな設定をプレビュー表示領域９０１で確認し、所望の設定ができたら、ＯＫボタン９１５を押下（指示）することにより、制御部１０８のＣＰＵによりフォルダマークが選択されているフォルダに登録される（設定されたフォルダマークを図１に示したバックアップＲＡＭ１１０にフォルダと関連付けて記憶させる）。これにより、登録操作を完了する。
【００９５】
図１３は、本発明の画像処理装置における第３の制御処理手順の一例を示すフローチャートであり、本実施形態におけるボックス印刷の手順に対応する。なお、図１３中のＳ１３０１〜Ｓ１３０６は、図１に示した制御部１０８内のＣＰＵによりＲＯＭ又は他の記憶媒体に格納されたプログラムに基づいて実行される各ステップに対応する。
【００９６】
まず、制御部１０８のＣＰＵは、図３に示したボックスキー３０５が押下されると、ステップＳ１３０１において、図１０に示したフォルダ選択画面を図３に示したＬＣＤタッチパネル３１６に表示制御し、ユーザによるフォルダの選択（図５に示したボックス領域５０３，５０４，５０５，・・・のいずれかの領域の選択）を受け付ける。そして、フォルダ選択画面でユーザによりボックス番号（フォルダ）が選択されると（フォルダ一覧表示領域７０１でフォルダが選択され、選択ボタン７０２が指示されると）、制御部１０８のＣＰＵは、ステップＳ６０７に処理を進める。
【００９７】
次に、ステップＳ１３０２において、制御部１０８のＣＰＵは、図１１に示したフォルダ内文書選択画面を図３に示したＬＣＤタッチパネル３１６に表示制御し、印刷対象の文書の選択を受け付ける。そして、フォルダ内文書選択画面でユーザにより印刷対象の文書が選択されると（文書一覧８０１で文書が選択され、印刷ボタン８０５が指示されると）、制御部１０８のＣＰＵは、ステップＳ１３０３に処理を進める。
【００９８】
次に、ステップＳ１３０３において、制御部１０８のＣＰＵは、図４に示したようなプリント設定画面を図３に示したＬＣＤタッチパネル３１６に表示制御し、プリント設定（印刷設定）及び印刷開始の指示を受け付ける。そして、プリント設定画面で印刷設定が指示され、図３に示したスタートボタン３０８が押下されると、制御部１０８のＣＰＵは、ステップＳ１３０４に処理を進める。
【００９９】
次に、ステップＳ１３０４において、制御部１０８のＣＰＵは、ステップＳ１３０１で選択されたフォルダがマークが登録されたフォルダか否かを判定する。そして、ステップＳ１３０４で、制御部１０８のＣＰＵが、マークが登録されたフォルダであると判定した場合には、ステップＳ１３０５において、ウォータマーク付の印刷処理を行う。詳細には、制御部１０８のＣＰＵが、ステップＳ１３０１で選択されたフォルダに登録されたマークを、該マークのさまざまなパラメータ設定に応じた出力様式(フォント，色，位置，角度，印刷方法等)で、ステップＳ１３０２で選択された文書に合成印刷するように画像形成制御する。そして、印刷が終了すると、処理を終了する。
【０１００】
一方、ステップＳ１３０４で、制御部１０８のＣＰＵが、ステップＳ１３０１で選択されたフォルダが、マークが登録されたフォルダでないと判定した場合には、ステップＳ１３０６において、通常の印刷処理を行う。詳細には、制御部１０８のＣＰＵが、ステップＳ１３０２で選択された文書を印刷処理する。そして、印刷が終了すると、処理を終了する。
【０１０１】
なお、制御部１０８のＣＰＵは、ステップＳ１３０５，Ｓ１３０６の印刷処理の際に、ステップＳ１３０３で設定された印刷設定および文書（画像データ）とともにボックスに保存されているジョブ属性（フィニッシングの設定や両面等の画像の割り付け等の処理モード）に基づいて印刷処理を行うように制御するものとする。
【０１０２】
本実施例では、文字列形式のウォータマークを例に説明したが、文字列以外の任意の画像形式によるウォータマークも本発明の実施形態に含まれることは言うまでもない。この場合、図１２に示したマーク作成編集画面では、マークに対応する画像と出力様式を指定する。この場合、出力様式として、画像サイズ，合成角度，合成位置のうち少なくとも１つが含まれるものとする。
【０１０３】
以上示したように、従来では、文書の種別や文書発行元に応じて、常に定型のマークを合成して文書出力を行うような出力フローにおいて、ユーザは文書毎に毎回合成設定を行う必要があり、出力フローの操作が煩雑であったが、本実施形態では、ボックスのフォルダにマーク設定を関連付けて記憶しておき、当該フォルダに格納した文書を出力する際は、制御部１０８のＣＰＵが、フォルダに関連付けられた前記マーク設定に基づいて出力するように制御する。
【０１０４】
この構成により、指定したフォルダに一度マーク登録をすれば、そのフォルダに画像を格納するだけで、出力時にマーク合成が実現されるため、出力の度にマーク設定をする手間を省略することができる。
【０１０５】
また、マークがフォルダと関連付けられているため、複数のユーザが同一のフォルダを利用することで、複数ユーザ間でマーク設定を共有することができる。
【０１０６】
さらに、一度そのフォルダに画像を登録すれば出力時に必ずマークが合成されるため、マーク出力を強制することが可能となり、著作権表示などのセキュリティを確保できる。
【０１０７】
また、各フォルダに関連付けられたマークをプレビュー表示が可能となり、予めマーク登録内容を視覚的に確認することで、フォルダ利用の利便性を向上させることができる。
【０１０８】
さらに、フォント，文字サイズ，文字色，文字角度，マークの合成位置等の出力様式を設定してマークを登録することができる。
【０１０９】
また、上記出力様式中のマークの合成位置は出力用紙サイズに対する割合で合成印刷されるので、マーク合成位置を出力用紙に対する絶対位置ではなく相対位置による指定が可能となり、指定作業を容易にすることができる。
【０１１０】
〔第２実施形態〕
上記第１実施形態では、マークが登録されたフォルダに格納された文書を印刷する場合には、必ずマークを付して印刷する構成について説明した。本実施形態では、マークが登録されたフォルダに格納された文書を印刷する場合に、マークなしで印刷可能なように構成する。以下、その実施形態について説明する。
【０１１１】
図１４は、本実施形態において図１０に示した選択ボタン７０５を押下後に表示されるフォルダ内文書選択画面の一例を示す図であり、図１１と同一のものには同一の符号を付してある。
【０１１２】
図１４において、１４０１はマークなし印刷ボタンであり、文書一覧８０１で選択された文書をマークなしで印刷する場合に押下（指示）するものである。このマークなし印刷ボタン１４０１を指示すると図４に示したようなプリント設定画面に遷移し、選択文書のプリント設定とプリント指示が可能となる。このプリント設定画面が表示された状態でプリント指示（スタートボタン３０７の押下）が行われた場合、制御部１０８のＣＰＵは、例えば、印刷対象の文書がマーク登録されたフォルダに格納された文書であっても、フォルダマークを合成することなく文書画像をプリント出力するように制御する。
【０１１３】
以上の構成により、マーク登録されたフォルダに格納された文書であっても、必要に応じてマーク合成なしにプリント出力することができるフレキシブルなマーク印刷環境を提供することができる。
【０１１４】
〔第３実施形態〕
上記第１，２実施形態では、フォルダ（ボックス領域）にウォータマークを関連付けておき、該フォルダに格納された画像データを印刷指示する際に、該画像データにウォータマークを付加して印刷するように制御する構成について説明したが、フォルダ（ボックス領域）にウォータマーク印刷以外の各種印刷属性設定を関連付けるように構成してもよい。
【０１１５】
例えば、フォルダに、製本印刷，Ｎ−ＵＰ印刷（複数ページ割付印刷）等を関連付けておく。そして、該フォルダに格納された画像データを印刷指示する際に、該画像データに製本印刷，Ｎ−ＵＰ印刷（複数ページ割付印刷）等の処理を付加した印刷処理を実行するように制御する。なお、フォルダに登録可能な印刷属性は、スタンプ（ウォータマーク；Watermark）機能、製本印刷，Ｎ−ＵＰ印刷に限られるものではなく、給紙方法、排紙方法、両面印刷機能、ステイプル機能、パンチ機能、トリミング機能、用紙Ｚ折り機能などの各種フィニッシング機能、さらにこれらの機能を複合して実現する製本機能、フォームオーバレイ機能、用紙サイズおよび用紙種、印刷部数等の他の印刷設定であってもよい。
【０１１６】
これにより、指定したフォルダ（ボックス領域）に一度、印刷設定を登録をすれば、そのフォルダに画像を格納するだけで、出力時に上記登録した印刷設定を付加して印刷処理が実現されるため、出力の度に印刷設定を行う手間を省略することができる。
【０１１７】
また、印刷設定がフォルダと関連付けられて登録されているため、複数のユーザが同一のフォルダを利用することで複数ユーザ間で印刷設定を共有することができる。
【０１１８】
さらに、一度そのフォルダに画像を登録すれば出力時に必ず印刷設定が施されるため、該印刷設定出力を強制することが可能となり、印刷設定管理を行うことができる。
【０１１９】
なお、図１０の７０３，図１１の８０３，図１２の９０１に示したプレビュー画面に、上記フォルダに設定された印刷設定を施したプレビュー画面を表示するように、制御部１０８のＣＰＵが制御することにより、各フォルダに関連付けられた印刷設定のプレビュー表示が可能となり、予め印刷設定内容を視覚的に確認することで、フォルダ（ボックス）利用の利便性を向上させることができる。
【０１２０】
また、上記第２実施形態で示したマークなし印刷ボタン１４０１と同様に、フォルダに登録された印刷設定を反映させないで文書を印刷するボタンをフォルダ内文書選択画面に設けることにより、制御部１０８のＣＰＵの制御により、例え印刷設定登録されたフォルダに格納する文書を印刷する場合であっても、該登録された印刷設定を反映させることなしに文書をプリント出力することができる。
【０１２１】
〔第４実施形態〕
上記第１〜３実施形態では、マークや印刷設定をフォルダ（ボックス領域）に登録しておき、該フォルダに格納された文書を印刷する際、該登録されたマークや印刷設定を反映させた印刷制御を行う構成について説明した。本実施形態では、フォルダ（ボックス領域）に画像処理等のスキャン設定を関連付けて登録しておき、原稿をリーダ部１０８でスキャンする際に、制御部１０８のＣＰＵが、選択されたフォルダに登録されたスキャン設定に基づいてスキャン処理を制御するように構成する。
【０１２２】
なお、読取設定情報は、例えば、解像度、カラー／モノクロ指定、γ値、画像処理方法（原稿タイプの指定（写真、テキスト、グラフィック、新聞等）、拡散ディザ法、各種フィルタの指定（ぼかし、シャープ、エンボス、モザイク、ぶれ、点描等）等の指定等の情報を含み、一般的にスキャン時に設定可能な情報は全て含むものとする。また、読取設定情報にＯＣＲ処理の実行の有無を含んでもよい。
【０１２３】
これにより、指定したフォルダ（ボックス領域）に一度、スキャン設定を登録すれば、そのフォルダを指定してスキャンするだけで、上記登録したスキャン設定を付加したすスキャン処理が実現されるため、原稿読み取り度にスキャン設定を行う手間を省略することができる。
【０１２４】
なお、上記各図で示した設定データの構成及びその内容はこれに限定されるものではなく、用途や目的に応じて、様々な構成や内容で構成されることは言うまでもない。
【０１２５】
以上、一実施形態について示したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【０１２６】
なお、上記各実施形態内で示した構成のいずれか又は全てを組み合わせた構成も全て本発明に含まれるものである。
【０１２７】
以下、図１５に示すメモリマップを参照して本発明に係る画像処理システムを構成する情報処理装置（ＰＣ／ＷＳ１０９）及び画像処理装置（デジタル複写機１００）で読み取り可能なデータ処理プログラムの構成について説明する。
【０１２８】
図１５は、本発明に係る画像処理システムを構成する情報処理装置（ＰＣ／ＷＳ１０９）及び画像処理装置（デジタル複写機１００）で読み取り可能な各種データ処理プログラムを格納する記憶媒体（記録媒体）のメモリマップを説明する図である。
【０１２９】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１３０】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【０１３１】
本実施形態における図６（ａ），図６（ｂ），図１３に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１３２】
以上のように、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１３３】
この場合、記憶媒体から読み出されたプログラムコード自体が本発明の新規な機能を実現することになり、そのプログラムコードを記憶した記憶媒体は本発明を構成することになる。
【０１３４】
従って、プログラムの機能を有していれば、オブジェクトコード、インタプリタにより実行されるプログラム、ＯＳに供給するスクリプトデータ等、プログラムの形態を問わない。
【０１３５】
プログラムを供給するための記憶媒体としては、例えばフレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤなどを用いることができる。
【０１３６】
この場合、記憶媒体から読出されたプログラムコード自体が前述した実施形態の機能を実現することになり、そのプログラムコードを記憶した記憶媒体は本発明を構成することになる。
【０１３７】
その他、プログラムの供給方法としては、クライアントコンピュータのブラウザを用いてインターネットのホームページに接続し、該ホームページから本発明のコンピュータプログラムそのもの、もしくは、圧縮され自動インストール機能を含むファイルをハードディスク等の記憶媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバやｆｔｐサーバ等も本発明の請求項に含まれるものである。
【０１３８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【０１３９】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１４０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１４１】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記憶媒体を該システムあるいは装置に読み出すことによって、そのシステムあるいは装置が、本発明の効果を享受することが可能となる。
【０１４２】
本発明は上記実施形態に限定されるものではなく、本発明の趣旨に基づき種々の変形（各実施形態の有機的な組合せを含む）が可能であり、それらを本発明の範囲から排除するものではない。
【０１４３】
本発明の様々な例と実施形態を示して説明したが、当業者であれば、本発明の趣旨と範囲は、本明細書内の特定の説明に限定されるのではない。
【０１４４】
以上説明したように、ボックスのフォルダにマーク設定を関連付けて記憶し、当該フォルダに格納した文書を出力する際は、フォルダに関連付けられた前記マーク設定に基づいてに基づいて出力を行うことにより、文書格納フォルダとマークの関連付けを一度行えば、格納文書出力時に自動的にマーク合成が適用されるため、定型のマーク合成出力を常とする出力フローを簡略化できる効果を有する。
【０１４５】
従って、画像格納フォルダにマーク及び出力様式を関連付けて登録するように複合機におけるボックスプリント機能を構成することにより、出力時にマーク選択及び出力様式の指定を行うことなくフォルダ画像の出力を行うことによりマーク合成出力フローを簡略化することでき、複合機におけるボックスプリント機能における操作性を向上することができる。
【図面の簡単な説明】
【０１４６】
【図１】本発明の情報処理装置および画像処理装置を適用可能な画像処理システムの構成を示すブロック図である。
【図２】図１に示したデジタル複写機本体の構成を示す断面図である。
【図３】図１に示した操作部（操作パネル）のキー配列を示す平面図である。
【図４】図３に示した操作パネル（ＬＣＤタッチパネル）に表示されるコピー標準画面を示した模式図である。
【図５】図１に示した画像メモリ１０７の論理的な使用方法を示した図である。
【図６】本発明の画像処理装置における第１，２の制御処理手順の一例を示すフローチャートである。
【０１４７】
フローチャートである。
【図７】図１に示したＰＣ／ＷＳの図示しないディスプレイ上に表示される印刷ダイアログの一例を示す図である。
【図８】図１に示したＰＣ／ＷＳの図示しないディスプレイ上に表示される印刷属性設定画面の一例を示す図である。
【図９】図１に示したＰＣ／ＷＳの図示しないディスプレイ上に表示されるフォルダ選択画面の一例を示す図である。
【図１０】本実施形態における操作パネル上に表示されるフォルダ選択画面の一例を示す模式図である。
【図１１】図１０に示した選択ボタンを押下後に制御部のＣＰＵにより表示制御されるフォルダ内文書選択画面の一例を示す図である。
【図１２】図１０に示したマーク作成編集ボタンを押下した後に制御部のＣＰＵにより表示制御されるフォルダマーク作成，編集のためのマーク作成編集画面の一例を示す図である。
【図１３】本発明の画像処理装置における第３の制御処理手順の一例を示すフローチャートである。
【図１４】本実施形態において図１０に示した選択ボタンを押下後に表示されるフォルダ内文書選択画面の一例を示す図である。
【図１５】本発明に係る画像処理システムを構成する情報処理装置（ＰＣ／ＷＳ）及び画像処理装置（デジタル複写機の制御部）で読み取り可能な各種データ処理プログラムを格納する記憶媒体（記録媒体）のメモリマップを説明する図である。
【符号の説明】
【０１４８】
１００    デジタル複写機
１０１    デジタル複写機本体
１０２    操作部
１０３    リーダ部
１０４    プリンタ部
１０５    画像入出力制御部
１０６    コンピュータインタフェース部
１０７    画像メモリ
１０８    バックアップＲＡＭ
１０９    パーソナルコンピュータ／ワークステーション（Ｐ／Ｗ）
【図１】
2006324954.tif 000003
【図２】
2006324954.tif 000004
【図３】
2006324954.tif 000005
【図４】
2006324954.tif 000006
【図５】
2006324954.tif 000007
【図６】
2006324954.tif 000008
【図７】
2006324954.tif 000009
【図８】
2006324954.tif 000010
【図９】
2006324954.tif 000011
【図１０】
2006324954.tif 000012
【図１１】
2006324954.tif 000013
【図１２】
2006324954.tif 000014
【図１３】
2006324954.tif 000015
【図１４】
2006324954.tif 000016
【図１５】
2006324954.tif 000017